(57)【要約】【課題】複数の除湿手段を備えた除湿装置において、使用者が除湿装置の運転モード選択時や離れた場所からでも除湿装置の運転内容を容易に確認でき、使い勝手が向上する除湿装置を提供することを目的とする。【解決手段】複数の除湿手段の選択を行う制御部１９と、複数個のＬＥＤ２１ａ、２１ｂ、２１ｃ、２１ｄ、２１ｅを設けた表示装置２１とを備え、前記制御部１９が選択した除湿手段に応じＬＥＤ２１ａ、２１ｂ、２１ｃ、２１ｄ、２１ｅ点灯状況を変える構成としたので、複数の除湿手段の運転内容が視覚的にわかり易くなり、使用者が除湿装置の運転モードを選択する時に、使用者の目的に応じた運転モードを選択することができるようになる。また、離れた場所からでも除湿装置の運転内容を容易に確認できるようになり、使い勝手が向上した除湿装置を得られる。【選択図】図１
2008086969.tif 000002
【特許請求の範囲】
【請求項１】
空気中の水分を除湿する除湿手段を複数備えた除湿装置において、前記複数の除湿手段の選択を行う制御部と、前記制御部が選択した除湿手段を表示する表示装置とを備えた除湿装置。
【請求項２】
表示装置は、複数の除湿手段の運転比率を表示する事を特徴とする請求項１に記載の除湿装置。
【請求項３】
表示装置は、複数個のＬＥＤの全てを使用して複数の除湿手段の運転比率を表示する事を特徴とする請求項２に記載の除湿装置。
【請求項４】
表示装置は、除湿手段の個別に対応したＬＥＤを備え、前記制御部が選択した除湿手段に対応したＬＥＤのみ点灯する事を特徴とする請求項１に記載の除湿装置。
【請求項５】
表示装置は、除湿手段により色を分けて表示する事を特徴とする請求項３または４に記載の除湿装置。
【請求項６】
表示装置は、除湿能力を表示する事を特徴とする請求項１に記載の除湿装置。
【請求項７】
表示装置は、除湿能力に応じＬＥＤの点灯する個数を変更する事を特徴とする請求項６に記載の除湿装置。
【請求項８】
表示装置は、除湿能力に応じＬＥＤの点滅周期を変更する事を特徴とする請求項６または７に記載の除湿装置。
【請求項９】
表示装置は、除湿能力により色を分けて表示する事を特徴とする請求項７または８に記載の除湿装置。
【請求項１０】
表示装置は、複数色に発光するＬＥＤで表示する構成を特徴とする請求項５または９に記載の除湿装置。
【請求項１１】
除湿装置本体の周囲雰囲気湿度を検出する湿度センサを備え、ＬＥＤの輝度を前記湿度センサの計測値の大小に応じて変更することを特徴とする請求項３、４、７、８、９、または１０に記載の除湿装置。
【請求項１２】
除湿装置本体の周囲雰囲気湿度を検出する湿度センサを備え、ＬＥＤの点滅周期を前記湿度センサの計測値の大小に応じて変更することを特徴とする請求項８に記載の除湿装置。
【請求項１３】
除湿装置本体近傍の照度を計測する照度計を備え、前記照度計にて計測された照度の大小に応じてＬＥＤの輝度を変更することを特徴とする請求項３、４、７、８または１０に記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放熱を行う吸放湿手段を備えた除湿装置に関する。
【背景技術】
【０００２】
従来、この種の除湿装置は、圧縮機を動作させ空気中の水分を除湿する除湿手段と吸放湿手段を動作させ空気中の水分を除湿する除湿手段の複数の除湿手段を有している。前記除湿手段の選択は、除湿対象空気の湿度を計測する湿度センサーや除湿対象空気の温度を計測する温度センサーが設けられており、除湿装置に設けられた操作パネルを使用者が操作し選択された運転モードと前記湿度センサーや前記温度センサーの計測結果により、自動で選択されている（例えば特許文献１参照）。
【特許文献１】特開２００６−２１２５０４号公報
【発明の開示】
【発明が解決しようとする課題】
【０００３】
このような従来の除湿機では、使用者が除湿装置の運転モード選択時にどの除湿手段で運転しているか確認することができないという課題があり、除湿装置の運転内容を容易に確認できるようにする事が要求されている。
【０００４】
また、離れた場所から除湿装置の運転内容の確認ができないという課題があり、離れた場所からでも除湿装置の運転内容を容易に確認できるようにする事が要求されている。
【０００５】
本発明は、このような従来の課題を解決するものであり、使用者が除湿装置の運転モード選択時や離れた場所からでも除湿装置の運転内容を容易に確認できるようにして使い勝手の良い除湿装置を提供することを目的としている。
【課題を解決するための手段】
【０００６】
本発明の除湿装置は上記目的を達成するために、空気中の水分を除湿する除湿手段を複数備えた除湿装置において、前記複数の除湿手段の選択を行う制御部と、前記制御部が選択した除湿手段を表示する表示装置とを備えた構成としたものである。
【０００７】
この手段により、使用者が除湿装置の運転モード選択時や離れた場所からでも除湿装置の運転内容を容易に確認できるようになり、使い勝手の良い除湿装置が得られる。
【０００８】
また、他の手段は、表示装置は、複数の除湿手段の運転比率を表示する構成としたものである。
【０００９】
この手段により、複数の除湿手段の運転比率が視覚的にわかり易くなることにより、使用者が除湿装置の運転モードを選択する時に、使用者の目的に応じた運転モードを選択することができるようになる。また、離れた場所からでも除湿装置の運転内容を容易に確認できるようになり、使い勝手の良い除湿装置が得られる。
【００１０】
また、他の手段は、表示装置は、複数個のＬＥＤの全てを使用して複数の除湿手段の運転比率を表示する構成としたものである。
【００１１】
この手段により、複数の除湿手段の比率が視覚的によりわかり易くなる除湿装置が得られる。
【００１２】
また、他の手段は、表示装置は、除湿手段の個別に対応したＬＥＤを備え、前記制御部が選択した除湿手段に対応したＬＥＤのみ点灯する構成としたものである。
【００１３】
この手段により、有効な除湿手段の識別が視覚的にわかり易くなる除湿装置が得られる。
【００１４】
また、他の手段は、表示装置は、除湿手段により色を分けて表示する構成としたものである。
【００１５】
この手段により、除湿手段の特徴をイメージする色のＬＥＤを点灯することにより、現在の有効な除湿手段の特徴が使用者の年齢層に関係なく、使いやすいユニバーサルデザインにすることができる除湿装置が得られる。
【００１６】
また、他の手段は、表示装置は、除湿能力を表示する構成としたものである。
【００１７】
この手段により、複数の除湿手段の除湿能力が視覚的にわかり易くなることにより、使用者が除湿装置の運転モードを選択する時に、使用者が目的に応じた運転モードを選択することができるようになる。また、離れた場所からでも除湿装置の運転内容を容易に確認できるようになり、使い勝手の良い除湿装置が得られる。
【００１８】
また、他の手段は、表示装置は、除湿能力に応じＬＥＤの点灯する個数を変更する構成としたものである。
【００１９】
この手段により、除湿能力の段階が視覚的にわかり易い除湿装置が得られる。
【００２０】
また、他の手段は、表示装置は、除湿能力に応じＬＥＤの点滅周期を変更する構成としたものである。
【００２１】
この手段により、除湿能力が高いときはＬＥＤの点滅周期を短くし、低い時はＬＥＤの点滅周期を長くすることで、現在の除湿能力の状況が視覚的により容易に確認できるようになり、使い勝手が良くなる除湿装置が得られる。
【００２２】
また、他の手段は、表示装置は、除湿能力により色を分けて表示する構成としたものである。
【００２３】
この手段により、除湿能力をイメージする色のＬＥＤを点灯させることで、現在の除湿能力の状況が視覚的により容易に確認できるようになり、使い勝手が良くなる除湿装置が得られる。
【００２４】
また、他の手段は、表示装置は、複数色に発光するＬＥＤで表示する構成としたものである。
【００２５】
この手段により、ＬＥＤの数を削減することで、スペースを削減できる除湿装置が得られる。
【００２６】
また、他の手段は、除湿装置本体の周囲雰囲気湿度を検出する湿度センサを備え、ＬＥＤの輝度を前記湿度センサの計測値の大小に応じて変更する構成としたものである。
【００２７】
この手段により、除湿の進行状況が視覚的にわかり易い除湿装置が得られる。
【００２８】
また、他の手段は、除湿装置本体の周囲雰囲気湿度を検出する湿度センサを備え、ＬＥＤの点滅周期を前記湿度センサの計測値の大小に応じて変更する構成としたものである。
【００２９】
この手段により、除湿の進行速度が視覚的にわかり易い除湿装置が得られる。
【００３０】
また、他の手段は、除湿装置本体近傍の照度を計測する照度計を備え、前記照度計にて計測された照度の大小に応じてＬＥＤの輝度を変更する構成としたものである。
【００３１】
この手段により、消費電力が少なくなり省エネ性が向上する除湿装置が得られる。
【発明の効果】
【００３２】
本発明によれば、使用者が運転モードを選択するときや離れた場所からでも除湿装置の運転内容が視覚的にわかり易く確認できるようになり、使い勝手が良いという効果のある除湿装置を提供できる。
【発明を実施するための最良の形態】
【００３３】
本発明の請求項１記載の発明は、空気中の水分を除湿する除湿手段を複数備えた除湿装置において、前記複数の除湿手段の選択を行う制御部と、前記制御部が選択した除湿手段を表示する表示装置とを備えた構成としたものであり、使用者が除湿装置の運転モード選択時や離れた場所からでも除湿装置の運転内容を容易に確認できるようになり、使い勝手が向上するという作用を有する。
【００３４】
また、請求項２記載の発明は、表示装置は、複数の除湿手段の運転比率を表示する構成としたものであり、複数の除湿手段の運転比率が視覚的にわかり易くなることにより、使用者が除湿装置の運転モードを選択する時に、使用者の目的に応じた運転モードを選択することができるようになる。また、離れた場所からでも除湿装置の運転内容を容易に確認できるようになり、使い勝手が向上するという作用を有する。
【００３５】
また、請求項３記載の発明は、表示装置は、複数個のＬＥＤの全てを使用して複数の除湿手段の運転比率を表示する構成としたものであり、複数の除湿手段の比率が視覚的によりわかり易くなり、使い勝手が向上するという作用を有する。
【００３６】
また、請求項４記載の発明は、表示装置は、除湿手段の個別に対応したＬＥＤを備え、前記制御部が選択した除湿手段に対応したＬＥＤのみ点灯する構成としたものであり、有効な除湿手段の識別が視覚的にわかり易くなり、使い勝手が向上するという作用を有する。
【００３７】
また、請求項５記載の発明は、表示装置は、除湿手段により色を分けて表示する構成としたものであり、除湿手段の特徴をイメージする色のＬＥＤを点灯することにより、現在の有効な除湿手段の特徴が使用者の年齢層に関係なく、使いやすいユニバーサルデザインにすることができ、使い勝手が向上するという作用を有する。
【００３８】
また、請求項６記載の発明は、表示装置は、除湿能力を表示する構成としたものであり、複数の除湿手段の除湿能力が視覚的にわかり易くなることにより、使用者が除湿装置の運転モードを選択する時に、使用者が目的に応じた運転モードを選択することができるようになる。また、離れた場所からでも除湿装置の運転内容を容易に確認できるようになり、使い勝手が向上するという作用を有する。
【００３９】
また、請求項７記載の発明は、表示装置は、除湿能力に応じＬＥＤの点灯する個数を変更する構成としたものであり、除湿能力の段階が視覚的にわかり易くなり、使い勝手が向上するという作用を有する。
【００４０】
また、請求項８記載の発明は、表示装置は、除湿能力に応じＬＥＤの点滅周期を変更する構成としたものであり、除湿能力が高いときはＬＥＤの点滅周期を短くし、低い時はＬＥＤの点滅周期を長くすることで、現在の除湿能力の状況が視覚的により容易に確認できるようになり、使い勝手が向上するという作用を有する。
【００４１】
また、請求項９記載の発明は、表示装置は、除湿能力により色を分けて表示する構成としたものであり、除湿能力をイメージする色のＬＥＤを点灯させることで、現在の除湿能力の状況が視覚的により容易に確認できるようになり、使い勝手が向上するという作用を有する。
【００４２】
また、請求項１０記載の発明は、表示装置は、複数色に発光するＬＥＤで表示する構成としたものであり、ＬＥＤの数を削減することで、スペースを削減できるという作用を有する。
【００４３】
また、請求項１１記載の発明は、除湿装置本体の周囲雰囲気湿度を検出する湿度センサを備え、ＬＥＤの輝度を前記湿度センサの計測値の大小に応じて変更する構成としたものであり、除湿の進行状況が視覚的にわかり易くなり、使い勝手が向上するという作用を有する。
【００４４】
また、請求項１２記載の発明は、除湿装置本体の周囲雰囲気湿度を検出する湿度センサを備え、ＬＥＤの点滅周期を前記湿度センサの計測値の大小に応じて変更する構成としたものであり、除湿の進行速度が視覚的にわかり易くなり、使い勝手が向上するという作用を有する。
【００４５】
また、請求項１３記載の発明は、除湿装置本体近傍の照度を計測する照度計を備え、前記照度計にて計測された照度の大小に応じてＬＥＤの輝度を変更する構成としたものであり、消費電力が少なくなり、省エネ性が向上するという作用を有する。
【００４６】
以下、本発明の実施の形態について図面を参照しながら説明する。
【００４７】
（実施の形態１）
図１〜図４に示すように、除湿装置の本体１内に、冷凍サイクルを形成する圧縮機２、放熱器３、膨張機構４、吸熱器５を配管接続した冷媒回路内に冷媒６を充填し、供給空気から吸湿する吸湿部７および供給空気に対して放湿する放湿部８を有する吸放湿手段９を設けている。また、本体１には吸込口１０と吹出口１１を開口し、送風ファン１２の運転によって、吸込口１０から除湿対象空気１３と冷却対象空気１４を本体１内に供給する構成としている。そして、本体１内に供給された除湿対象空気１３が、放熱器３、加熱手段１５、放湿部８、吸熱器５、吸湿部７に順に供給されて吹出口１１より本体１外部に流出し、また、冷却対象空気１４が、除湿対象空気１３と同一方向から吸熱器５に供給されて除湿対象空気１３とともに吸湿部７に供給された後、吹出口１１より本体１外部に流出するように風路を形成している。そして、圧縮機２により冷媒６を圧縮することによって、冷媒６が、放熱器３、膨張機構４、吸熱器５の順に冷媒回路内を循環し、放熱器３に供給される除湿対象空気１３に対して放熱するとともに吸熱器５に供給される除湿対象空気１３および冷却対象空気１４から吸熱することによってヒートポンプ１６を作動させる構成となっている。
【００４８】
また、吸込口１０から吸込まれる除湿対象空気１３の湿度を検出する湿度センサー１７と、除湿対象空気１３の温度を検出する温度センサー１８と、送風ファン１２と加熱手段１５と吸放湿手段９および圧縮機２の運転を制御する制御部１９と、使用者が運転モードを切り替えるための操作部２０を設ける。制御部１９はマイコンによって制御を行う。送風ファン１２と圧縮機２はモータで駆動しリレー、半導体素子等が採用される。加熱手段１５はたとえばサイリスタと呼ばれる半導体素子を用いて商用電源の導通位相を制御したとえばヒータの加熱量を制御する手段が採用される。湿度センサー１７としては、高分子湿度センサー等があり、温度センサー１８としては、サーミスタ、熱電対等がある。
【００４９】
また、除湿装置の本体１の前面に制御部１９が選択した除湿手段を表示する表示装置２１を設け、表示装置２１には、複数個の複数色に発光するＬＥＤ２１ａ、２１ｂ、２１ｃ、２１ｄ、２１ｅを設ける。
【００５０】
吸放湿手段９は、シリカゲルなどの吸着剤３０が担持された軸方向に通風可能な円筒状のハニカムローター３１を備えており、このハニカムローター３１を回動自在に回転軸３２で支持している。そして、ハニカムローター３１の外周にギア３３を形成し、このギア３３と回転駆動する駆動モーター３４の歯車部３５にベルト３６を巻装している。また、吸湿部７に供給される除湿対象空気１３と放湿部８に供給される除湿対象空気１３の相互流通を抑制するように風路を仕切っており、駆動モーター３４を駆動するとベルト３６を介してギア３３に駆動力が伝達してハニカムローター３１が回転することになる。
【００５１】
このハニカムローター３１の回転によって吸着剤３０は、吸湿部７における除湿対象空気１３との接触と放湿部８における除湿対象空気１３との接触を繰り返すことになる。この吸着剤３０は、さらされる空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤３０の保持可能な水分量の差に応じて水分の吸脱着が行われることになる。
【００５２】
ここで、吸湿部７で吸着剤３０と接触する除湿対象空気１３は、吸熱器５において冷媒６の吸熱により冷却された高い相対湿度の空気であり、放湿部８で吸着剤３０と接触する除湿対象空気１３は、放熱器３において冷媒６の放熱により加熱された低い相対湿度の空気であるので、この相対湿度の差によって、吸着剤３０の吸脱着作用が為されて吸放湿手段９が作動することになるのである。
【００５３】
また、操作部２０には、除湿装置の運転を開始するための電源スイッチ４０ａと、運転モードを切り替える除湿切替弱スイッチ４０ｂと除湿切替中スイッチ４０ｃと除湿切替強スイッチ４０ｄおよび除湿切替冷風スイッチ４０ｅからなるスイッチ入力部４０と、電源が入っていることを表示する運転表示部４１ａと除湿運転の状態を表示する弱運転表示部４１ｂと中運転表示部４１ｃと強運転表示部４１ｄおよび冷風運転表示部４１ｅと照度計４２からなる表示部４１を設ける。
【００５４】
以上の構成において、除湿動作は次のように行われる。吸込口から流入した除湿対象空気１３は放熱器３で加熱され、放湿部８からの放湿をうけて多湿空気となり次の吸熱器５において冷却され、一部は、水滴として除湿され、さらに次の吸湿部において放湿して吹出口１１より除湿空気として排出される。
【００５５】
また、この除湿装置では、除湿対象空気を放熱器３で加熱される以上に加熱手段１５たとえばヒータで加熱することにより、吸湿部７に供給される除湿対象空気１３と放湿部８に供給される除湿対象空気１３との相対湿度差をさらに拡大することができるので、これにより吸放湿手段９の吸放湿量を増加することができる。吸放湿手段としては、湿度成分の吸湿と放湿ができるものであれば良く、吸放湿剤であるゼオライト、シリカゲル等がある。
【００５６】
上記構成において、除湿装置の本体１の前面の位置に制御部１９が選択した除湿手段を表示する表示装置２１の動作を説明する。
【００５７】
図５は制御部１９の構成を示し、図６は制御部１９の動作を示すフローチャートである。
【００５８】
ステップ１（以下ステップをＳと略記）において、操作部２０のスイッチ入力に応じた運転モードの判定を行う。電源スイッチ４０ａの入力に応じ、除湿機の本体１の電源のＯＮとＯＦＦを切換える。除湿機の本体１の電源がＯＮしている時に、除湿切替弱スイッチ４０ｂの入力があった場合、除湿弱モードを確定し、除湿切替中スイッチ４０ｃの入力があった場合、除湿中モードを確定し、除湿強スイッチ４０ｄの入力があった場合、除湿強モードを確定し、除湿冷風スイッチ４０ｅの入力があった場合、除湿冷風モードを確定する。次にＳ２において湿度センサー１７の計測値の読み込みを行い、Ｓ３において温度センサー１８の計測値の読み込みを行う。
【００５９】
次にＳ４において、Ｓ１で確定した運転モードとＳ２で読み込んだ湿度センサー１７の計測値とＳ３で読み込んだ温度センサー１８の計測値により予め設定された除湿手段の判定内容（図７）に従い、送風ファン１２の出力内容と加熱手段１５の加熱量とハニカムローター３１の駆動モーター３４の出力内容と圧縮機２の出力内容の選択を行う。次にＳ５にてＳ４で選択した出力内容を、送風ファン１２と加熱手段１５とハニカムローター３１の駆動モーター３４と圧縮機２へ信号の出力を行う。次にＳ６にてＳ４で選択した加熱手段１５の加熱量とハニカムローター３１の駆動モーター３４の出力内容と圧縮機２の出力内容に応じ、表示装置２１のＬＥＤ２１ａ、２１ｂ、２１ｃ、２１ｄ、２１ｅの出力内容を図８に示す内容に従い選択し、除湿手段の内容を表示装置２１へ信号出力を行う。圧縮機２による除湿手段を表示するＬＥＤの色として冷却をイメージする寒色系の色を点灯させ、加熱手段１５とハニカムローター３１による除湿手段を表示するＬＥＤの色として加熱をイメージする暖色系の色を点灯させる。
【００６０】
ＬＥＤ２１ａ、２１ｂ、２１ｃ、２１ｄ、２１ｅは図８と図９（ａ）〜（ｆ）に示すように、ＬＥＤ２１ａは除湿手段としての圧縮機２がＯＮしているときに緑色に点灯し、除湿手段としての圧縮機２がＯＦＦしているときに消灯する。ＬＥＤ２１ｂは、加熱手段１５が強の出力をしているときに橙色に点灯し、加熱手段１５がＯＦＦしているとき、または中の出力をしているとき、または弱の出力をしているとき、かつ圧縮機２がＯＮの出力をしているときに緑色に点灯し、圧縮機２がＯＦＦしているときに消灯する。ＬＥＤ２１ｃは、加熱手段１５が中の出力をしているとき、または強の出力をしているときに橙色に点灯し、加熱手段１５がＯＦＦしているとき、またはＯＦＦしているとき、かつ圧縮機２がＯＮしているときに緑色に点灯し、圧縮機２がＯＦＦしているときに消灯する。ＬＥＤ２１ｄは、加熱手段１５が弱の出力をしているとき、または中の出力をしているとき、または強の出力をしているときに橙色に点灯し、加熱手段１５がＯＦＦしているとき、かつ圧縮機２がＯＮしているときに緑色に点灯し、圧縮機２がＯＦＦしているときに消灯する。
【００６１】
ＬＥＤ２１ｅは、ハニカムローター３１の駆動モーター３４がＯＮしているときに橙色に点灯し、ハニカムローター３１の駆動モーター３４がＯＦＦしているとき、かつ除湿手段としての圧縮機２がＯＮしているときに緑色に点灯し、除湿手段としての圧縮機２がＯＦＦしているときに消灯する。ＬＥＤ２１ａ、２１ｂ、２１ｃ、２１ｄ、２１ｅの全てのＬＥＤを使用して圧縮機２による除湿手段と加熱手段１５とハニカムローター３１による除湿手段の運転比率を表示する。
【００６２】
これにより複数の除湿手段の運転比率が視覚的にわかり易くなり、使用者が除湿装置の運転モードを選択する時に、使用者の目的に応じた運転モードを選択することができるようになる。また、離れた場所からでも除湿装置の運転内容を容易に確認できるようになり、使い勝手が向上することとなる。
【００６３】
また、複数色に発光するＬＥＤを用いることで、ＬＥＤの数を削減することで、スペースを削減できることとなる。
【００６４】
また、湿度センサー１７の計測値が大きい程ＬＥＤ２１ａ、２１ｂ、２１ｃ、２１ｄ、２１ｅの輝度を明るくし、湿度センサー１７の計測値が小さい程程ＬＥＤ２１ａ、２１ｂ、２１ｃ、２１ｄ、２１ｅの輝度を暗くする。このことにより除湿の進行状況が視覚的にわかり易くなり、使い勝手が向上することとなる。
【００６５】
また、照度計４２によって除湿装置の近傍が暗いと判断された場合はＬＥＤ２１ａ、２１ｂ、２１ｃ、２１ｄ、２１ｅの輝度は抑えられる。このことにより消費電力が少なくなり省エネ性が向上する。
【００６６】
（実施の形態２）
図１０は本発明の実施形態にかかる除湿装置の構成を示した図である。図１１は本発明の実施形態にかかる除湿装置の斜視図である。
【００６７】
図１０と図１１において、実施の形態１と異なるところは、制御部１９が選択した除湿手段を表示する表示装置２１に、圧縮機２による除湿手段を表示するＬＥＤとしてＬＥＤ２１ｆと加熱手段１５とハニカムローター３１による除湿手段を表示するＬＥＤとしてＬＥＤ２１ｇを設けた点である。図１０と図１１において図１と同じ構成要素については同じ符号を用いその説明を省略する。
【００６８】
図１２は、図１０の制御部１９の動作を示すフローチャートのＳ６にてＳ４で選択した加熱手段１５の加熱量とハニカムローター３１の駆動モーター３４の出力内容と圧縮機２の出力内容に応じ、表示装置２１へ出力する内容を判定する判定表である。
【００６９】
図１２において、実施の形態１と異なるところは、図６の制御部１９の動作を示すフローチャートのＳ６にてＳ４で選択した加熱手段１５の加熱量とハニカムローター３１の駆動モーター３４の出力内容と圧縮機２の出力内容に応じ、表示装置２１に設けたＬＥＤ２１ｆとＬＥＤ２１ｇの出力内容を判定する点である。
【００７０】
ＬＥＤ２１ｆとＬＥＤ２１ｇは、図１２と図１３（ａ）〜（ｃ）に示すように、ＬＥＤ２１ｆは、圧縮機２がＯＮしているときに点灯し、圧縮機２がＯＦＦしているときに消灯する。ＬＥＤ２１ｇは、ハニカムローター３１がＯＮ出力しているときに点灯し、ハニカムローター３１がＯＦＦ出力しているときに消灯する。
【００７１】
これにより有効な除湿手段の識別が視覚的にわかり易くなり、使用者の目的に応じた運転モードを選択することができるようになる。また、離れた場所からでも除湿装置の運転内容を容易に確認できるようになり、使い勝手が向上することとなる。
【００７２】
（実施の形態３）
図１４は、図６の制御部１９の動作を示すフローチャートのＳ６にてＳ４で選択した加熱手段１５の加熱量とハニカムローター３１の出力内容と圧縮機２の出力内容に応じ、表示装置２１へ出力する内容を判定する判定表である。
【００７３】
図１４において、実施の形態１と異なるところは、図６の制御部１９の動作を示すフローチャートのＳ６にてＳ４で選択した加熱手段１５の加熱量とハニカムローター３１の出力内容と圧縮機２の出力内容から除湿能力に応じた表示を行い、除湿能力に応じＬＥＤの点灯する個数とＬＥＤの色と点滅周期を変更する内容となっている点である。
【００７４】
図１４と図１５（ａ）〜（ｆ）に示すように、圧縮機２と加熱手段１５とハニカムローター３１の駆動モーター３４が全てＯＦＦしているときにＬＥＤ２１ａと２１ｂと２１ｃと２１ｄと２１ｅを消灯する。圧縮機２がＯＮしているとき、かつ加熱手段１５とハニカムローターの駆動モーター３４がＯＦＦしているときに、ＬＥＤ２１ａを緑色で１．０Ｈｚの周期で点灯し、ＬＥＤ２１ｂと２１ｃと２１ｄと２１ｅを消灯する。圧縮機２とハニカムローター３１の駆動モーター３４がＯＮしているとき、かつ加熱手段１５がＯＦＦしているときに、ＬＥＤ２１ａと２１ｂを橙色で１．５Ｈｚの周期で点灯し、ＬＥＤ２１ｃと２１ｄと２１ｅを消灯する。
【００７５】
圧縮機２とハニカムローター３１の駆動モーター３４がＯＮしているとき、かつ加熱手段１５が弱出力のときに、ＬＥＤ２１ａと２１ｂと２１ｃを橙色で２．０Ｈｚの周期で点灯し、ＬＥＤ２１ｄと２１ｅを消灯する。圧縮機２とハニカムローター３１の駆動モーター３４がＯＮしているとき、かつ加熱手段１５が中出力のときに、ＬＥＤ２１ａと２１ｂと２１ｃと２１ｄを赤色で２．５Ｈｚの周期で点灯し、ＬＥＤ２１ｅを消灯する。圧縮機２とハニカムローター３１の駆動モーター３４がＯＮしているとき、かつ加熱手段１５が強出力のときに、ＬＥＤ２１ａと２１ｂと２１ｃと２１ｄと２１ｅを赤色で３．０Ｈｚの周期で点灯する。
【００７６】
これにより複数の除湿手段の除湿能力が高い程ＬＥＤの点灯する個数が多くなり、点滅する周期も早くなる。さらに除湿能力が高い程視覚的に警戒作用のある赤系の色を点灯させ、反対に除湿能力が低い程安泰作用のある緑色系の色を点灯させることにより除湿能力の段階が視覚的にわかり易くなり、使用者が除湿装置の運転モードを選択するときに、使用者が目的に応じた運転モードを選択することができるようになる。また、離れた場所からでも除湿装置の運転内容を容易に確認できるようになり、使い勝手が向上することとなる。
【００７７】
なお、除湿能力に応じＬＥＤの点滅する周期を変更する方法としては、湿度センサー１７の計測値の大小によって変更する方法でもよい。
【産業上の利用可能性】
【００７８】
複数のＬＥＤ点灯状況を変更し、装置の運転内容を確認しやすい技術を、加湿機の運転内容を確認する用途にも適用できる。
【図面の簡単な説明】
【００７９】
【図１】本発明の実施の形態１と実施の形態３の除湿装置の構成を示す図
【図２】同除湿装置の斜視図
【図３】本発明の実施の形態１と実施の形態２と実施の形態３の除湿装置の吸放湿手段９の詳細構成を示した図
【図４】同除湿装置の操作部の正面図
【図５】同除湿装置の制御部のブロック図
【図６】同除湿装置の制御部の動作を説明するフローチャート
【図７】同除湿装置の制御部の除湿手段の判定を説明する図
【図８】本発明の実施の形態１の除湿装置の制御部の表示装置の出力を説明する図
【図９】同除湿装置の表示装置の動作を示す図
【図１０】本発明の実施の形態２の除湿装置の構成を示す図
【図１１】同除湿装置の斜視図
【図１２】本発明の実施の形態２の除湿装置の制御部の表示装置の出力を説明する図
【図１３】同除湿装置の表示装置の動作を示す図
【図１４】本発明の実施の形態３の除湿装置の制御部の表示装置の出力を説明する図
【図１５】同除湿装置の表示装置の動作を示す図
【符号の説明】
【００８０】
１    本体
２    圧縮機
３    放熱器
４    膨張機構
５    吸熱器
６    冷媒
７    吸湿部
８    放湿部
９    吸放湿手段
１０  吸込口
１１  吹出口
１２  送風ファン
１３  除湿対象空気
１４  冷却対象空気
１５  加熱手段
１６  ヒートポンプ
１７  湿度センサー
１８  温度センサー
１９  制御部
２０  操作部
２１  表示装置
２２ａ〜２２ｇ  ＬＥＤ
３０  吸着剤
３１  ハニカムローター
３２  回転軸
３３  ギア
３４  駆動モーター
３５  歯車部
３６  ベルト
４０  スイッチ入力部
４１  表示部
４２  照度計
【図１】
2008086969.tif 000003
【図２】
2008086969.tif 000004
【図３】
2008086969.tif 000005
【図４】
2008086969.tif 000006
【図５】
2008086969.tif 000007
【図６】
2008086969.tif 000008
【図７】
2008086969.tif 000009
【図８】
2008086969.tif 000010
【図９】
2008086969.tif 000011
【図１０】
2008086969.tif 000012
【図１１】
2008086969.tif 000013
【図１２】
2008086969.tif 000014
【図１３】
2008086969.tif 000015
【図１４】
2008086969.tif 000016
【図１５】
2008086969.tif 000017